(57)【特許請求の範囲】
【請求項１】
玄関子機のケース本体を下ケースと共に構成する上ケースの前面にネームプレート取付け部を形成し、前記ネームプレート取付け部に、居住者の住所や氏名などを記入したネームプレートおよび該ネームプレートの前方に位置する透明パネルを配設して構成したネームプレート付き玄関子機であって、
前記ネームプレート取付け部が、前記上ケース前面に形成されネームプレートを嵌着する凹部と、この凹部の上辺を除く３辺に形成した嵌合溝と、前記凹部の上辺の上方に形成した段差と、を有して構成され、前記段差には前記嵌合溝が連続して形成され、また、前記段差における前記透明パネルと接触する面にほぼ山形の凹溝が形成されており、前記透明パネルが前記嵌合溝に差し込まれていることを特徴とするネームプレート付き玄関子機。
【請求項２】
玄関子機のケース本体を下ケースと共に構成する上ケースの前面にネームプレート取付け部を形成し、前記ネームプレート取付け部に、居住者の住所や氏名などを記入したネームプレートおよび該ネームプレートの前方に位置する透明パネルを配設して構成したネームプレート付き玄関子機であって、
前記ネームプレート取付け部が、前記上ケース前面に形成されネームプレートを嵌着する凹部と、この凹部の上辺を除く３辺に形成した嵌合溝と、前記凹部の上辺の上方に形成した段差と、を有して構成され、前記段差には前記嵌合溝が連続して形成され、また、前記段差における前記透明パネルと接触する面は前記透明パネルとの面圧が増大するように湾曲形成されており、前記透明パネルが前記嵌合溝に差し込まれていることを特徴とするネームプレート付き玄関子機。
【請求項３】
玄関子機のケース本体を下ケースと共に構成する上ケースの前面にネームプレート取付け部を形成し、前記ネームプレート取付け部に、居住者の住所や氏名などを記入したネームプレートおよび該ネームプレートの前方に位置する透明パネルを配設して構成したネームプレート付き玄関子機であって、
前記ネームプレート取付け部が、前記上ケース前面に形成され前記ネームプレートを嵌着する凹部と、この凹部の上辺を除く３辺に形成した嵌合溝と、前記凹部の上辺の上方に形成された段差と、を有して構成され、前記段差には前記嵌合溝が連続して形成されており、また、前記透明パネルにおける嵌合溝に嵌合する部分の上面には前記透明パネルの裏面を前記段差に圧着させる極小突起が突設されており、前記透明パネルが前記嵌合溝に差し込まれていることを特徴とするネームプレート付き玄関子機。
【発明の詳細な説明】
【０００１】
【発明の属する技術分野】
この発明はネームプレートの取付けられた玄関子機に関する。
【０００２】
【従来の技術】
従来インターホンの玄関子機は、玄関の門など雨がかかりやすい場所に設置することが多い。
【０００３】
このためケース本体に防水構造が採用されており、例えば実開平３−１２６０８４号公報や、実開平３−１２６０８５、実開平４−１２７６８２号公報などで、ケースの防水構造が提案されている。
【０００４】
これら公報のケースの防水構造は、何れも上ケースと下ケースの嵌合部分にパッキンを介在させて、嵌合部よりケース内に雨水が浸入するのを防止するように構成している。
【０００５】
一方従来の玄関子機には、上ケースの前面に、居住者の住所や氏名を記入したネームプレートを設けることにより、表札を兼ねさせたものがある。
【０００６】
このネームプレート付きの玄関子機は、例えば図９及び図１０に示すように上ケースａの前面上部に、ネームプレートｂの大きさよりやや小さな角形の凹部ｃを形成し、この凹部ｃに居住者の住所や氏名を記入したネームプレートとほぼ同じ大きさの透明パネルｄを撓ませながら嵌合することにより、上ケースａにネームプレートｂを取付ける構造を採用している。
【０００７】
【発明が解決しようとする課題】
上記公報に記載されたケースの防水構造は、上ケースと下ケースの嵌合部よりケース内へ雨水が浸入するのを防止するのには有効であるが、ネームプレートの防水構造には適用できない。
【０００８】
また図９及び図１０に示すネームプレート付きの玄関子機では、ネームプレートｂの上方に上ケースａの前面があって、上方より落下する雨滴はこの前面及び透明パネルｄの前面を伝わって下方へ落下するため、ネームプレートｂと透明パネルｄの間に雨水が浸入するのをある程度は防ぐことができる。
【０００９】
しかし強い雨や前方より吹き付ける雨の場合、凹部ｃの周辺部よりネームプレートｂと透明パネルｄに雨水が浸入することがあり、雨水によってネームプレートｂに記載された住所や氏名が消えるなどの不具合がある。
【００１０】
またネームプレートｂの上方を上ケースａの前面で覆う構造を採用しなければならないため、上ケースのデザインに制約を受けるなどの不具合もあった。
【００１１】
この発明はかかる従来の不具合を改善するためになされたもので、ネームプレートに対する防水が確実に行えると共に、上ケースのデザインに制約を受けることの少ないネームプレート付き玄関子機を提供することを目的とするものである。
【００１２】
【課題を解決するための手段】
上記目的を達成するため請求項１記載の発明は、玄関子機のケース本体を下ケースと共に構成する上ケースの前面にネームプレート取付け部を形成し、前記ネームプレート取付け部に、居住者の住所や氏名などを記入したネームプレートおよび該ネームプレートの前方に位置する透明パネルを配設して構成したネームプレート付き玄関子機であって、前記ネームプレート取付け部が、前記上ケース前面に形成されネームプレートを嵌着する凹部と、この凹部の上辺を除く３辺に形成した嵌合溝と、前記凹部の上辺の上方に形成した段差と、を有して構成され、前記段差には前記嵌合溝が連続して形成され、また、前記段差における前記透明パネルと接触する面にほぼ山形の凹溝が形成されており、前記透明パネルが前記嵌合溝に差し込まれているものである。
【００１３】
上記構成により、段差と透明パネルの間に浸入した雨水は毛細管現象により凹溝に沿って両側の嵌合溝へ排出されるため、ネームプレート側へ浸入するのを防止することができる。
【００１４】
上記目的を達成するため請求項２記載の発明は、玄関子機のケース本体を下ケースと共に構成する上ケースの前面にネームプレート取付け部を形成し、前記ネームプレート取付け部に、居住者の住所や氏名などを記入したネームプレートおよび該ネームプレートの前方に位置する透明パネルを配設して構成したネームプレート付き玄関子機であって、前記ネームプレート取付け部が、前記上ケース前面に形成されネームプレートを嵌着する凹部と、この凹部の上辺を除く３辺に形成した嵌合溝と、前記凹部の上辺の上方に形成した段差と、を有して構成され、前記段差には前記嵌合溝が連続して形成され、また、前記段差における前記透明パネルと接触する面は前記透明パネルとの面圧が増大するように湾曲形成されており、前記透明パネルが前記嵌合溝に差し込まれているものである。
【００１５】
上記構成により、嵌合溝に差し込まれた透明パネルは、段差の極大Ｒに沿って湾曲される際、段差と透明パネルの接触面の面圧が増大するため、段差と透明パネルの間からネームプレート側へ雨水が浸入するのを防止することができる。
【００１８】
上記目的を達成するため請求項３記載の発明は、玄関子機のケース本体を下ケースと共に構成する上ケースの前面にネームプレート取付け部を形成し、前記ネームプレート取付け部に、居住者の住所や氏名などを記入したネームプレートおよび該ネームプレートの前方に位置する透明パネルを配設して構成したネームプレート付き玄関子機であって、前記ネームプレート取付け部が、前記上ケース前面に形成され前記ネームプレートを嵌着する凹部と、この凹部の上辺を除く３辺に形成した嵌合溝と、前記凹部の上辺の上方に形成された段差と、を有して構成され、前記段差には前記嵌合溝が連続して形成されており、また、前記透明パネルにおける嵌合溝に嵌合する部分の上面には前記透明パネルの裏面を前記段差に圧着させる極小突起が突設されており、前記透明パネルが前記嵌合溝に差し込まれているものである。
【００１９】
上記構成により、極小突起により圧着された段差と透明パネルの接触面の面圧が増大するため、段差と透明パネルの間からネームプレート側へ雨水が侵入するのを防止することができる。
【００２０】
【発明の実施の形態】
この発明の実施の形態を図面を参照して詳述する。
【００２１】
図１及び図２は第１の実施の形態を示すもので、これら図で１は玄関子機の上ケースを示し、この上ケース１と下ケース１´によりケース本体を構成している。
【００２２】
上記上ケース１は前面の上部にネームプレート取付け部２が、そしてその下方に縦格子状のグリル３が形成されており、グリル３が形成された部分に、マイクロホンを兼ねたスピーカ（図示せず）を取付ける取付け穴４と押しボタン５が設けられている。
【００２３】
上記ネームプレート取付け部２は、ネームプレート６の大きさよりやや小さい角形の凹部２ａと、この凹部２ａの両側辺及び下辺に沿って形成された嵌合溝２ｂを有している。
【００２４】
上記嵌合溝２ｂの溝幅は、後述する透明パネル７が差し込めるよう、透明パネル７の厚みより少し大きくなっていると共に、上記凹部２ａの上方には、上ケース１の前面を一段低くすることにより、段差２ｃが凹部２ａのほぼ全幅に亘って形成されている。
【００２５】
上記段差２ｃは、上ケース１の上方より上記嵌合溝２ｂ内へ透明パネル７を差し込むためのもので、嵌合溝２ｂへ差し込まれた透明パネル７は、段差２ｃに密着するようになっている。
【００２６】
そしてこの段差２ｃには、図３に示すようにほぼ山形をなす凹溝２ｄが例えば２条形成されていると共に、凹部２ａの下辺に沿って形成された嵌合溝２ｂの両端には、嵌合溝２ｂ内に侵入した雨水を排水するための切欠き２ｅが形成されている。
【００２７】
一方上記ネームプレート６は、弾性を有する薄板などにより長方形状に形成されていて、表面に居住者の住所や氏名などが記入できるようになっており、図２に示すように幅方向に撓ませることにより、上記凹部２ａ内に嵌合したり、また簡単に取外せるようになっている。
【００２８】
また上記透明パネル７は、上ケース１の段差２ｃより嵌合溝２ｂ内へ差し込んだときに、上端が上ケース１の上面とほぼ同一面となる大きさの弾性変形の少ない透明板により形成されていて、ネームプレート６の前方に位置する部分を除く全体にベタ印刷などの手段で着色部７ａが形成されており、ネームプレート６の前方は透明となっていて、この透明部７ｂよりネームプレート６に記入された住所や氏名などが見えるようになっている。
【００２９】
次に上記構成された玄関子機の防雨構造の作用を説明すると、ネームプレート６に住所や氏名などを記入したら、ネームプレート６を図２に示すように幅方向へ撓ませながら凹部２ａへ嵌着する。
【００３０】
次に上ケース１上部の段差２ｃより嵌合溝２ｃ内に透明パネルを差し込むもので、ネームプレート６に記入された住所や氏名などは、図１に示すように透明パネル７の透明部７ｂより見ることができる。
【００３１】
また使用中雨水が段差２ｃと透明パネル７の間に浸入しても、透明パネル７は段差２ｃに密着している上、段差２ｃにはほぼ山形の凹溝２ｄが形成されているため、浸入した雨水は毛細管現象により図３の矢印に示すように凹溝２ｄに沿って凹溝２ｄの両端側へ流下し、嵌合溝２ｂ内へ流れ込む。
【００３２】
そして下辺の嵌合溝２ｂ両端に形成された切欠き２ｅより排出されるため、ネームプレート６側へ雨水が浸入するのを防止することができるようになる。
【００３３】
図４ないし図６は第２の実施の形態を示すもので、次にこれを説明する。
【００３４】
なお第１の実施の形態と同一の部分は同一符号を付してその説明は省略する。これは後述する第３の実施の形態についても同様である。
【００３５】
図４ないし図６に示す第２の実施の形態では、透明パネル７が接触する段差２ｃを極大Ｒに形成したものである。
【００３６】
これによって嵌合溝２ｂに平板状の透明パネル７を差し込むと、透明パネル７は図６に示すように段差２ｃに沿って極大Ｒに湾曲されて、段差２ｃと透明パネル７の接触面の面圧が増大するため、段差２ｃと透明パネル７の間よりネームプレート６側へ雨水が浸入するのを防止できるようになる。
【００３９】
図７及び図８は第３の実施の形態を示すもので、透明パネル７の嵌合溝２ｂと嵌合する部分の上面に、極小の突起７ｃを複数個所突設したものである。
【００４０】
これによって透明パネル７を段差２ｃより図８に示すように嵌合溝２ｂへ差し込むと、複数の極小突起７ｃにより透明パネル７の裏面が段差２ｃに圧着されて、接触面の面圧が増大するため、段差２ｃと透明パネル７の間よりネームプレート６側へ雨水が浸入するのを防止できるようになる。
【００４１】
【発明の効果】
この発明は以上詳述したように、ネームプレートを嵌着する凹部の上辺を除く３辺に嵌合溝を形成し、また上辺の上方には上記嵌合溝に透明パネルを差し込むための段差を形成すると共に、上記段差に段差と透明パネルの間に浸入した雨水を両側の嵌合溝へ導く凹溝を設けたことから、段差と透明パネルの間に浸入した雨水がネームプレート側へ浸入するのを防止することができる。
【００４２】
これによって浸入した雨水により、ネームプレートに記入された住所や氏名などが汚損されたり、消されたりすることがないため、表札としての機能を長期間に亘って維持することができる。
【００４３】
また透明パネルを上ケースの上面付近まで大きくすることができるため、透明パネルに印刷などの手段で着色や模様などを施すことにより美観が向上するため、デザイン的な制約を受けることも少なくなる。
【００４４】
一方段差を極大Ｒに形成したり、透明パネルの嵌合溝と嵌合する部分に極小突起を形成して、段差と透明パネルの接触面の面圧を増大させることにより、段差と透明パネルの間に雨水が浸入することがないため、雨水がネームプレート側へ浸入するのを確実に防止することができる。
【００４５】
また下辺の嵌合溝の一部に切欠きを設けておくことにより、嵌合溝内に浸入した水をこの切欠きより排水することができるため、嵌合溝内に長時間雨水が溜まることがない。
【図面の簡単な説明】
【図１】  この発明の実施の形態になるネームプレート付き玄関子機の正面図である。
【図２】  この発明の実施の形態になるネームプレート付き玄関子機の分解斜視図である。
【図３】  この発明の実施の形態になるネームプレート付き玄関子機の透明パネルを外した状態の正面図である。
【図４】  この発明の他の実施の形態になるネームプレート付き玄関子機の分解斜視図である。
【図５】  この発明の他の実施の形態になるネームプレート付き玄関子機の透明パネルを外した状態の平面図である。
【図６】  この発明の他の実施の形態になるネームプレート付き玄関子機の透明パネルを差し込んだ状態の平面図である。
【図７】  この発明の他の実施の形態になるネームプレート付き玄関子機の一部を拡大した分解斜視図である。
【図８】  この発明の他の実施の形態になるネームプレート付き玄関子機の透明パネルを差し込んだ状態の平面図である。
【図９】  従来のネームプレート付き玄関子機の正面図である。
【図１０】  従来のネームプレート付き玄関子機の分解斜視図である。
【符号の説明】
１      上ケース
２      ネームプレート取付け部
２ａ    凹部
２ｂ    嵌合溝
２ｃ    段差
２ｄ    凹溝
２ｅ    切欠き
３      グリル
４      取付け孔
５      押しボタン
６      ネームプレート
７      透明パネル
７ａ    着色部
７ｂ    透明部
７ｃ    極小突起
【図１】
0004033934.tif 000002
【図２】
0004033934.tif 000003
【図３】
0004033934.tif 000004
【図４】
0004033934.tif 000005
【図５】
0004033934.tif 000006
【図６】
0004033934.tif 000007
【図７】
0004033934.tif 000008
【図８】
0004033934.tif 000009
【図９】
0004033934.tif 000010
【図１０】
0004033934.tif 000011